(57)【特許請求の範囲】
【請求項１】
異なる色光を発生する複数の光源の制御を行うための光源制御装置であって、
前記複数の光源のそれぞれの光出力値を検出する検出手段と、
前記検出手段の検出結果に基づいて、前記複数の光源のそれぞれの光出力値または各光出力値の相対的な値が常に一定の値に近づくように、前記複数の光源のそれぞれの光出力の制御を行う制御手段と
を備え、
前記制御手段は、光出力値を一定にする制御を行った結果、あらかじめ設定された許容最大値を超えて駆動されるおそれのある光源があった場合に、光出力値を一定にする制御から各光出力値の相対的な値を一定にする制御へと自動的に切り換えるよう構成されている
光源制御装置。
【請求項２】
さらに、前記複数の光源から出射された各色光のうち、一部分を空間的に分離する光分離手段を備え、
前記検出手段は、前記光分離手段によって空間的に分離された各色光の光強度を検出するよう構成されている
請求項１記載の光源制御装置。
【請求項３】
さらに、前記複数の光源から出射された各色光のうち、一部分を時間的に分離する光分離手段を備え、
前記検出手段は、前記光分離手段によって時間的に分離された各色光の光強度を検出するよう構成されている
請求項１記載の光源制御装置。
【請求項４】
前記光分離手段は、各色光の同一光路上に１つ設けられ、単一で各色光を時間的に分離する機能を有する
請求項３記載の光源制御装置。
【請求項５】
異なる色光を発生する複数の光源の制御を行うための光源制御方法であって、
前記複数の光源のそれぞれの光出力値を検出するステップと、
この検出結果に基づいて、前記複数の光源のそれぞれの光出力値または各光出力値の相対的な値が常に一定の値に近づくように、前記複数の光源のそれぞれの光出力の制御を行うステップと
を含み、
前記光出力の制御を行うステップでは、光出力値を一定にする制御を行った結果、あらかじめ設定された許容最大値を超えて駆動されるおそれのある光源があった場合に、光出力値を一定にする制御から各光出力値の相対的な値を一定にする制御へと自動的に切り換える
光源制御方法。
【請求項６】
異なる色光を発生する複数の光源と、
前記複数の光源のそれぞれの光出力値を検出する検出手段と、
前記検出手段の検出結果に基づいて、前記複数の光源のそれぞれの光出力値または各光出力値の相対的な値が常に一定の値に近づくように、前記複数の光源のそれぞれの光出力の制御を行う制御手段と、
前記制御手段によって制御された前記複数の光源からの各色光を変調する変調手段と、
前記変調手段による変調光を映像光として投射する投射手段と
を備え、
前記制御手段は、光出力値を一定にする制御を行った結果、あらかじめ設定された許容最大値を超えて駆動されるおそれのある光源があった場合に、光出力値を一定にする制御から各光出力値の相対的な値を一定にする制御へと自動的に切り換えるよう構成されている
投射型表示装置。
【発明の詳細な説明】
【０００１】
【発明の属する技術分野】
本発明は、複数の光源の光出力の制御を行うための光源制御装置および方法、ならびに、複数の光源からの光を用いて映像を表示する投射型表示装置に関する。
【０００２】
【従来の技術】
従来より、光源からの光を光変調器を用いて強度変調し、その変調光をスクリーンに投射することにより、映像を表示するようにした投射型の表示装置（プロジェクタ）がある。プロジェクタにおける投射方式には、スクリーンの前面側より映像を投射する前面投射方式(フロント式)と背面側より映像を投射する背面投射方式(リア式)とがある。光変調器としては、例えば、液晶パネル（ＬＣＤ；Liquid Crystal Display）またはＤＭＤ（Digital Micromirror Device）などが用いられている。
【０００３】
カラー表示用のプロジェクタでは、例えば赤色（Ｒ）、緑色（Ｇ）および青色（Ｂ）の各色光を、光変調器でそれぞれ強度変調し、それらの各色光を合成してカラー映像を生成する。この場合、光源には、例えばメタルハライドランプなどの白色光源を用い、その白色光をダイクロイックミラーなどで色分離することにより、各色光を発生する。
【０００４】
一方、光源として、白色光源ではなく、各色光を発生する単色発光型の光源を複数用いる方法もある。例えば、ＵＳＰ5,317,348およびＵＳＰ5,253,073には、Ｒ，Ｇ，Ｂの各色光を発生する複数のレーザ光源と、Ｒ，Ｇ，Ｂの各色用の複数の変調素子とを用いて映像表示を行うプロジェクタに関する技術が開示されている。
【０００５】
図１２は、複数のレーザ光源を用いた従来のプロジェクタの構成例を示している。このプロジェクタは、Ｒ，Ｇ，Ｂの各色光を発生する各色用のレーザ光源１０１，１０２，１０３と、各色用の変調器１０４，１０５，１０６とを備えている。このプロジェクタは、また、Ｒ用変調器１０４から出射された赤色光の光路に設けられた全反射ミラー１１１と、Ｂ用変調器１０６から出射された青色光の光路に設けられた全反射ミラー１１２と、Ｇ用変調器１０５から出射された緑色光の光路に設けられ、各色光を合成する機能を持つダイクロイックミラー１０７，１０８とを備えている。このプロジェクタは、さらに、ダイクロイックミラー１０７，１０８を介して合成された各色光を、スクリーン１１０上に２次元的に走査、展開して投射するスキャナ１０９を備えている。
【０００６】
このプロジェクタでは、各レーザ光源１０１，１０２，１０３から、それぞれ赤色、緑色および青色のレーザ光が独立に出力される。各色光は、それぞれ各色用の変調器１０４，１０５，１０６で強度変調される。Ｇ用変調器１０５から出射された緑色光は、まず、ダイクロイックミラー１０７に入射する。Ｒ用変調器１０４から出射された赤色光は、全反射ミラー１１１によって、ダイクロイックミラー１０７に向けて反射され、そこで緑色光と混合される。混合された赤色光と緑色光は、次に、ダイクロイックミラー１０８に入射する。一方、Ｂ用変調器１０６から出射された青色光は、全反射ミラー１１２によって、ダイクロイックミラー１０８に向けて反射され、そこで赤色光および緑色光と混合される。この混合された光がスキャナ１０９によって、２次元的に展開され、それが投射光となってスクリーン１１０上に投射され、スクリーン１１０上に２次元の映像が表示される。
【０００７】
【発明が解決しようとする課題】
ところで、このように複数のレーザ光源を用いたプロジェクタにおいて、各光源の光出力が個別に変化した場合、スクリーン上に投影される映像の色バランスが崩れ、映像として見にくいものになってしまうという問題がある。特に、光源の光出力は時間と共に低下することが一般的であり、また、複数の光源の光出力の低下率がすべて同等であることはきわめてまれであるため、時間経過と共に色バランスが初期の理想状態から変化してしまうおそれがある。
【０００８】
本発明はかかる問題点に鑑みてなされたもので、その目的は、複数の光源からの光出力のバランスを常に所望の状態に保つことができる光源制御装置および方法、ならびに投射型表示装置を提供することにある。
【０００９】
【課題を解決するための手段】
本発明による光源制御装置は、複数の光源のそれぞれの光出力値を検出する検出手段と、検出手段の検出結果に基づいて、複数の光源のそれぞれの光出力値または各光出力値の相対的な値が常に一定の値に近づくように、複数の光源のそれぞれの光出力の制御を行う制御手段とを備えたものである。そして、制御手段が、光出力値を一定にする制御を行った結果、あらかじめ設定された許容最大値を超えて駆動されるおそれのある光源があった場合に、光出力値を一定にする制御から各光出力値の相対的な値を一定にする制御へと自動的に切り換えるよう構成されているものである。
【００１０】
本発明による光源制御方法は、複数の光源のそれぞれの光出力値を検出するステップと、この検出結果に基づいて、複数の光源のそれぞれの光出力値または各光出力値の相対的な値が常に一定の値に近づくように、複数の光源のそれぞれの光出力の制御を行うステップとを含むようにしたものである。そして、光出力の制御を行うステップでは、光出力値を一定にする制御を行った結果、あらかじめ設定された許容最大値を超えて駆動されるおそれのある光源があった場合に、光出力値を一定にする制御から各光出力値の相対的な値を一定にする制御へと自動的に切り換えるようにしたものである。
【００１１】
本発明による投射型表示装置は、異なる色光を発生する複数の光源と、複数の光源のそれぞれの光出力値を検出する検出手段と、検出手段の検出結果に基づいて、複数の光源のそれぞれの光出力値または各光出力値の相対的な値が常に一定の値に近づくように、複数の光源のそれぞれの光出力の制御を行う制御手段と、制御手段によって制御された複数の光源からの各色光を変調する変調手段と、変調手段による変調光を映像光として投射する投射手段とを備えたものである。そして、制御手段が、光出力値を一定にする制御を行った結果、あらかじめ設定された許容最大値を超えて駆動されるおそれのある光源があった場合に、光出力値を一定にする制御から各光出力値の相対的な値を一定にする制御へと自動的に切り換えるよう構成されているものである。
【００１２】
本発明による光源制御装置および方法、ならびに投射型表示装置では、複数の光源のそれぞれの光出力値が検出され、この検出結果に基づいて、複数の光源のそれぞれの光出力値または各光出力値の相対的な値が常に一定の値に近づくように、複数の光源のそれぞれの光出力の制御が行われる。
【００１３】
【発明の実施の形態】
以下、本発明の実施の形態について図面を参照して詳細に説明する。
【００１４】
［第１の実施の形態］
図１に示したように、本実施の形態に係る投射型表示装置は、Ｒ，Ｇ，Ｂの各色光を発生する各色用のレーザ光源１１Ｒ，１１Ｇ，１１Ｂと、これらのレーザ光源１１Ｒ，１１Ｇ，１１Ｂを駆動するための各色用の可変電源１２Ｒ，１２Ｇ，１２Ｂと、レーザ光源１１Ｒ，１１Ｇ，１１Ｂからの各色光を強度変調する各色用の変調器１４Ｒ，１４Ｇ，１４Ｂとを備えている。この投射型表示装置は、また、Ｒ用変調器１４Ｒから出射された赤色光の光路に設けられた全反射ミラー１５と、Ｂ用変調器１４Ｂから出射された青色光の光路に設けられた全反射ミラー１７と、Ｇ用変調器１４Ｇから出射された緑色光の光路に設けられ、各色光を合成する機能を持つダイクロイックミラー１６，１８とを備えている。この投射型表示装置は、さらに、ダイクロイックミラー１６，１８を介して合成された各色光を、スクリーン２０上に２次元的に走査、展開して投射するスキャナ１９を備えている。
【００１５】
この投射型表示装置は、さらに、レーザ光源１１Ｒ，１１Ｇ，１１Ｂのそれぞれの光出力値（光強度、例えば輝度）を検出する機能を持つ各色用の光強度検出器２１Ｒ，２１Ｇ，２１Ｂと、レーザ光源１１Ｒ，１１Ｇ，１１Ｂと変調器１４Ｒ，１４Ｇ，１４Ｂとの間の光路中に設けられ、レーザ光源１１Ｒ，１１Ｇ，１１Ｂから出力された各色光の一部を空間的に分離して光強度検出器２１Ｒ，２１Ｇ，２１Ｂに向けて反射する機能を持つ各色用の部分反射ミラー１３Ｒ，１３Ｇ，１３Ｂとを備えている。この投射型表示装置は、また、光強度検出器２１Ｒ，２１Ｇ，２１Ｂと可変電源１２Ｒ，１２Ｇ，１２Ｂとの間の信号経路中に設けられた、アナログ／デジタル（以下、「ＡＤ」と記す。）コンバータ２２、マイクロプロセッサ２３およびデジタル／アナログ（以下、「ＤＡ」と記す。）コンバータ２４を備えている。
【００１６】
可変電源１２Ｒ，１２Ｇ，１２Ｂは、電流制御端子２５Ｒ，２５Ｇ，２５Ｂを介してレーザ光源１１Ｒ，１１Ｇ，１１Ｂに接続されている。可変電源１２Ｒ，１２Ｇ，１２Ｂは、レーザ光源１１Ｒ，１１Ｇ，１１Ｂに対して駆動用の電流（可変）を供給する機能を有している。レーザ光源１１Ｒ，１１Ｇ，１１Ｂは、例えば半導体レーザで構成され、可変電源１２Ｒ，１２Ｇ，１２Ｂからの供給電流に応じて、光出力値が変化するようになっている。
【００１７】
ＡＤコンバータ２２は、光強度検出器２１Ｒ，２１Ｇ，２１Ｂからの各色の検出信号をデジタル信号に変換し、マイクロプロセッサ２３に出力する機能を有している。以下では、このマイクロプロセッサ２３に出力されるＲ，Ｇ，Ｂの検出信号を、それぞれ、ＲＢＤ（R Bright Data），ＧＢＤ（G Bright Data），ＢＢＤ（B Bright Data）と記す。
【００１８】
マイクロプロセッサ２３は、各可変電源１２Ｒ，１２Ｇ，１２Ｂの駆動制御を行い、レーザ光源１１Ｒ，１１Ｇ，１１Ｂのそれぞれの光出力値を調整する機能を有している。マイクロプロセッサ２３は、ＡＤ変換された光強度検出器２１Ｒ，２１Ｇ，２１Ｂからの検出信号ＲＢＤ，ＧＢＤ，ＢＢＤに基づいて、所定の演算を行い、光出力調整用の制御信号を出力するようになっている。以下では、このマイクロプロセッサ２３から出力されるＲ，Ｇ，Ｂの光出力調整用の制御信号を、それぞれ、ＲＳＤ（R Set Data），ＧＳＤ（G Set Data），ＢＳＤ（B Set Data）と記す。ＤＡコンバータ２４は、このマイクロプロセッサ２３から出力された制御信号ＲＳＤ，ＧＳＤ，ＢＳＤをアナログ信号に変換して各可変電源１２Ｒ，１２Ｇ，１２Ｂに出力する機能を有している。なお、マイクロプロセッサ２３は、検出信号ＲＢＤ，ＧＢＤ，ＢＢＤの初期値や、制御信号ＲＳＤ，ＧＳＤ，ＢＳＤの標準値などを記憶するための内部メモリを有している。
【００１９】
なお、制御信号ＲＳＤ、ＧＳＤ、ＢＳＤの各信号値は、レーザ光源１１Ｒ，１１Ｇ，１１Ｂから出力される光の強度（例えば輝度）と比例関係にあるものとする。
【００２０】
なお、本実施の形態において、光強度検出器２１Ｒ，２１Ｇ，２１Ｂが、本発明における「検出手段」の一具体例に対応し、マイクロプロセッサ２３が、本発明における「制御手段」の一具体例に対応する。また、部分反射ミラー１３Ｒ，１３Ｇ，１３Ｂが、本発明における「光分離手段」の一具体例に対応する。また、スキャナ１９が、本発明における「投射手段」の一具体例に対応する。また、図１の装置における構成要素のうち、主として、光強度検出器２１Ｒ，２１Ｇ，２１Ｂ、ＡＤコンバータ２２、マイクロプロセッサ２３およびＤＡコンバータ２４が、本発明の「光源制御装置」の一具体例に対応する。
【００２１】
次に、上記のような構成の投射型表示装置の動作について説明する。
【００２２】
まず、本投射型表示装置の基本的な映像表示動作について説明する。この投射型表示装置では、可変電源１２Ｒ，１２Ｇ，１２Ｂからの供給電流に応じて、各レーザ光源１１Ｒ，１１Ｇ，１１Ｂから、それぞれ赤色、緑色および青色のレーザ光が独立に出力される。出力された各色光の大半は、部分反射ミラー１３Ｒ，１３Ｇ，１３Ｂを透過して、それぞれ各色用の変調器１４Ｒ，１４Ｇ，１４Ｂに入射し、そこで強度変調される。
【００２３】
変調器１４Ｒ，１４Ｇ，１４Ｂは、映像信号に基づいて与えられた、図示しない信号源からの変調信号によって駆動される。Ｇ用変調器１４Ｇから出射された緑色光は、まず、ダイクロイックミラー１６に入射する。Ｒ用変調器１４Ｒから出射された赤色光は、全反射ミラー１５によって、ダイクロイックミラー１６に向けて反射され、そこで緑色光と混合される。混合された赤色光と緑色光は、次に、ダイクロイックミラー１８に入射する。一方、Ｂ用変調器１４Ｂから出射された青色光は、全反射ミラー１７によって、ダイクロイックミラー１８に向けて反射され、そこで赤色光および緑色光と混合される。この混合された光がスキャナ１９によって、２次元的に展開され、それが投射光（映像光）となってスクリーン２０上に投射され、スクリーン２０上に２次元の映像が表示される。
【００２４】
ところで、各レーザ光源１１Ｒ，１１Ｇ，１１Ｂから出力された各色光の一部は、部分反射ミラー１３Ｒ，１３Ｇ，１３Ｂの機能によって空間的に分離され、光強度検出器２１Ｒ，２１Ｇ，２１Ｂに入射する。光強度検出器２１Ｒ，２１Ｇ，２１Ｂは、入射した各色光の光出力値（光強度）を検出する。光強度検出器２１Ｒ，２１Ｇ，２１Ｂでの各色の検出信号は、ＡＤコンバータ２２の機能によってデジタル信号に変換され、そのＡＤ変換された検出信号ＲＢＤ，ＧＢＤ，ＢＢＤがマイクロプロセッサ２３に出力される。マイクロプロセッサ２３は、この検出信号ＲＢＤ，ＧＢＤ，ＢＢＤに基づいて、各可変電源１２Ｒ，１２Ｇ，１２Ｂの駆動制御を行い、レーザ光源１１Ｒ，１１Ｇ，１１Ｂのそれぞれの光出力値を調整する。
【００２５】
次に、このマイクロプロセッサ２３による光出力の制御動作について詳しく説明する。本投射型表示装置では、まず、例えば製造時、工場出荷時において、レーザ光源１１Ｒ，１１Ｇ，１１Ｂのそれぞれの光出力値を調整して、色バランス（ホワイトバランス）の初期調整を行い（調整モード）、その後、実際の装置の使用時において、その初期状態での色バランスが保たれるよう、光出力の制御動作を行う（使用モード）。
【００２６】
まず、図２を参照して、初期に行われる調整モードでの動作について説明する。マイクロプロセッサ２３は、まず、図示しない内部メモリに記憶されている制御信号ＲＳＤ，ＧＳＤ，ＢＳＤの標準値を出力する（ステップＳ１１）。各可変電源１２Ｒ，１２Ｇ，１２Ｂは、ＤＡコンバータ２４を介して与えられた標準の制御信号ＲＳＤ，ＧＳＤ，ＢＳＤに基づいて、レーザ光源１１Ｒ，１１Ｇ，１１Ｂに駆動用の電流を供給する。レーザ光源１１Ｒ，１１Ｇ，１１Ｂは、この供給電流に応じた量のレーザ光を出力する。
【００２７】
マイクロプロセッサ２３は、次に、制御信号ＲＳＤ，ＧＳＤ，ＢＳＤのそれぞれの値を増減することにより、各レーザ光源１１Ｒ，１１Ｇ，１１Ｂの光出力値を変化させ、ホワイトバランスの調整を行う（ステップＳ１２）。ここでのホワイトバランスの調整は、例えば、スクリーン２０上に図示しない光センサーを設け、この光センサーの検出値をマイクロプロセッサ２３にフィードバックさせることにより、自動的に行うことができる。なお、制御信号ＲＳＤ，ＧＳＤ，ＢＳＤのそれぞれの値を手動で増減するようにしても良い。ホワイトバランスがまだ適切な状態でない場合（ステップＳ１３；Ｎ）には、適切な状態となるまで再度ステップＳ１２でホワイトバランスの調整を行う。
【００２８】
一方、ホワイトバランスが所望の範囲に収まり、適切な状態となったならば（ステップＳ１３；Ｙ）、マイクロプロセッサ２３は、そのときの制御信号ＲＳＤ，ＧＳＤ，ＢＳＤの調整値を内部メモリに記憶する（ステップＳ１４）。また、このとき、マイクロプロセッサ２３は、ＡＤコンバータ２２を介して出力された各色の光強度の検出信号ＲＢＤ，ＧＢＤ，ＢＢＤの入力を受け付け（ステップＳ１５）、その値を初期値として内部メモリに記憶する（ステップＳ１６）。以上により、調整モードの処理が終了する。
【００２９】
次に、図３を参照して、使用モードでの動作について説明する。マイクロプロセッサ２３は、まず、各可変電源１２Ｒ，１２Ｇ，１２Ｂに与える制御信号ＲＳＤ、ＧＳＤ、ＢＳＤとして、上述の調整モードのステップＳ１４において記憶した調整値をＤＡコンバータ２４を介して出力する（ステップＳ２１）。各可変電源１２Ｒ，１２Ｇ，１２Ｂは、ＤＡコンバータ２４を介して与えられた制御信号ＲＳＤ，ＧＳＤ，ＢＳＤに基づいて、レーザ光源１１Ｒ，１１Ｇ，１１Ｂに駆動用の電流を供給する。レーザ光源１１Ｒ，１１Ｇ，１１Ｂは、この供給電流に応じた量のレーザ光を出力する。このとき、マイクロプロセッサ２３は、ＡＤコンバータ２２を介して出力された光強度検出器２１Ｒ，２１Ｇ，２１Ｂからの各色の検出信号ＲＢＤ，ＧＢＤ，ＢＢＤの入力を受け付け（ステップＳ２２）、その値を、調整モードのステップＳ１６で記憶した初期値と比較する（ステップＳ２３）。
【００３０】
マイクロプロセッサ２３は、初期値と比較した結果に応じて、現在の検出信号ＲＢＤ，ＧＢＤ，ＢＢＤのそれぞれの値が初期値に近づくように、制御信号ＲＳＤ，ＧＳＤ，ＢＳＤの値を調整する。具体的には、初期値よりも大きい値の検出信号ＲＢＤ，ＧＢＤ，ＢＢＤがある場合、マイクロプロセッサ２３は、それに対応する制御信号ＲＳＤ，ＧＳＤ，ＢＳＤの値を減少させる（ステップＳ２４）。一方、逆に、初期値よりも小さい値の検出信号ＲＢＤ，ＧＢＤ，ＢＢＤがある場合、マイクロプロセッサ２３は、それに対応する制御信号ＲＳＤ，ＧＳＤ，ＢＳＤの値を増加させる（ステップＳ２５）。また、初期値と同じ値の検出信号ＲＢＤ，ＧＢＤ，ＢＢＤがある場合、マイクロプロセッサ２３は、それに対応する制御信号ＲＳＤ，ＧＳＤ，ＢＳＤの値は変化させない。
【００３１】
マイクロプロセッサ２３は、このように調整された制御信号ＲＳＤ，ＧＳＤ，ＢＳＤを、ＤＡコンバータ２４を介して各可変電源１２Ｒ，１２Ｇ，１２Ｂに出力する（ステップＳ２６）。レーザ光源１１Ｒ，１１Ｇ，１１Ｂには、このように調整された制御信号ＲＳＤ，ＧＳＤ，ＢＳＤに基づく駆動電流が与えられる。その後、マイクロプロセッサ２３は、再びステップＳ２２に戻り、検出信号ＲＢＤ，ＧＢＤ，ＢＢＤに基づく制御信号ＲＳＤ，ＧＳＤ，ＢＳＤの調整を繰り返す。このようなフィードバック制御を行うことにより、各検出信号ＲＢＤ、ＧＢＤ、ＢＢＤの値が常に初期状態の値に保たれる。すなわち、各レーザ光源１１Ｒ，１１Ｇ，１１Ｂの光出力値が常に一定の値に近づくように、フィードバック制御が行われ、光出力値が常に一定の値に保たれる。これにより、経時的なホワイトバランスの変化が防止され、長期間安定した映像表示が行われる。
【００３２】
なお、以上の使用モードでの制御は、装置の動作中、常時行っても良いし、必要に応じて任意の時間に行っても良い。例えば本投射型表示装置を映画の上映用の装置として使用する場合には、映画の上映の合間などに行うような使用形態が考えられる。
【００３３】
以上説明したように、本実施の形態によれば、複数のレーザ光源１１Ｒ，１１Ｇ，１１Ｂからの各色光を部分反射ミラー１３Ｒ，１３Ｇ，１３Ｂによって空間的に一部分離し、その分離した各色光を光強度検出器２１Ｒ，２１Ｇ，２１Ｂで検出し、その検出結果に基づいて、各レーザ光源１１Ｒ，１１Ｇ，１１Ｂから初期に調整した光出力値と同じ量の色光が出力されるようにフィードバック制御を行うようにしたので、ホワイトバランスを常に所望の状態に、一定に保つことができる。また、輝度も一定に保つことができる。これにより、長期間安定して良好な映像表示を行うことができる。
【００３４】
［第２の実施の形態］
次に、本発明の第２の実施の形態について説明する。なお、以下の説明では、図１に示した構成要素と実質的に同一の機能を有する部分には同一の符号を付し、適宜説明を省略する。
【００３５】
本実施の形態に係る投射型表示装置の構成およびその基本的な映像表示動作は、上記第１の実施の形態と同様であるが、特に、マイクロプロセッサ２３による使用モードでの制御動作が異なる。上記第１の実施の形態では、図３を用いて説明したように、レーザ光源１１Ｒ，１１Ｇ，１１Ｂのそれぞれの光出力値が常に一定となるような制御を行ったが、本実施の形態では、各レーザ光源１１Ｒ，１１Ｇ，１１Ｂの光出力の相対的な値（光出力比）を一定にするような制御を行う。
【００３６】
図４を参照して、この使用モードでの制御動作について説明する。なお、この使用モードに先立ち、図２と同じ調整モードによる処理が行われている。マイクロプロセッサ２３は、まず、各可変電源１２Ｒ，１２Ｇ，１２Ｂに与える制御信号ＲＳＤ、ＧＳＤ、ＢＳＤとして、図２の調整モードのステップＳ１４において記憶した調整値をＤＡコンバータ２４を介して出力する（ステップＳ３１）。各可変電源１２Ｒ，１２Ｇ，１２Ｂは、ＤＡコンバータ２４を介して与えられた制御信号ＲＳＤ，ＧＳＤ，ＢＳＤに基づいて、レーザ光源１１Ｒ，１１Ｇ，１１Ｂに駆動用の電流を供給する。レーザ光源１１Ｒ，１１Ｇ，１１Ｂは、この供給電流に応じた量のレーザ光を出力する。このとき、マイクロプロセッサ２３は、ＡＤコンバータ２２を介して出力された光強度検出器２１Ｒ，２１Ｇ，２１Ｂからの各色の検出信号ＲＢＤ，ＧＢＤ，ＢＢＤの入力を受け付ける（ステップＳ３２）。ここまでの処理は、第１の実施の形態での処理（図３のステップＳ２１，Ｓ２２）と同様である。
【００３７】
マイクロプロセッサ２３は、次に、各レーザ光源１１Ｒ，１１Ｇ，１１Ｂの光出力比に相当する、各検出信号ＲＢＤ，ＧＢＤ，ＢＢＤの相対的な値、例えばＲＢＤ／ＧＢＤおよびＢＢＤ／ＧＢＤの値を計算する（ステップＳ３３）。次に、マイクロプロセッサ２３は、計算した光出力比（ＲＢＤ／ＧＢＤ，ＢＢＤ／ＧＢＤ）を、初期状態での光出力比と比較する（ステップＳ３４）。初期状態での光出力比は、例えば、調整モードのステップＳ１６（図２）で得た各検出信号ＲＢＤ，ＧＢＤ，ＢＢＤの初期値から計算し、その値を調整モードの段階であらかじめ内部メモリに記憶しておいても良いし、使用モードの実行段階で、調整モードで記憶した各検出信号ＲＢＤ，ＧＢＤ，ＢＢＤの初期値から計算するようにしても良い。
【００３８】
マイクロプロセッサ２３は、初期状態での光出力比と比較した結果に応じて、現在の光出力比の値が初期状態の値に近づくように、制御信号ＲＳＤ，ＧＳＤ，ＢＳＤの値を調整する。具体的には、初期状態よりも大きい値の光出力比がある場合、マイクロプロセッサ２３は、それに対応する制御信号の値を減少させる（ステップＳ３５）。例えば、ＲＢＤ／ＧＢＤが初期状態での値よりも大きければ、制御信号ＲＳＤの値を減少させ、ＢＢＤ／ＧＢＤが初期状態での値よりも大きければ、制御信号ＢＳＤの値を減少させる。なお、このとき、ＧＳＤの値を増やすような制御を行っても良い。ただし、制御信号を増やす制御を行う場合、レーザ光源１１Ｒ，１１Ｇ，１１Ｂが最大定格値を超えて駆動されることのないよう注意する必要がある。
【００３９】
一方、例えばＲＢＤ／ＧＢＤまたはＢＢＤ／ＧＢＤの値が初期状態での値よりも小さかった場合、マイクロプロセッサ２３は、制御信号ＧＳＤの値を減少させる（ステップＳ３６）。なお、このとき、ＲＳＤまたはＢＳＤの値を増やすような制御を行っても良い。ただし、この場合にも、レーザ光源１１Ｒ，１１Ｇ，１１Ｂが最大定格値を超えて駆動されることのないよう注意する必要がある。現在の光出力比が初期状態での値と同じであれば、制御信号ＲＳＤ，ＧＳＤ，ＢＳＤの値は変化させない。
【００４０】
マイクロプロセッサ２３は、このように調整された制御信号ＲＳＤ，ＧＳＤ，ＢＳＤを、ＤＡコンバータ２４を介して各可変電源１２Ｒ，１２Ｇ，１２Ｂに出力する（ステップＳ３７）。レーザ光源１１Ｒ，１１Ｇ，１１Ｂには、このように調整された制御信号ＲＳＤ，ＧＳＤ，ＢＳＤに基づく駆動電流が与えられる。その後、マイクロプロセッサ２３は、再びステップＳ３２に戻り、各検出信号ＲＢＤ、ＧＢＤ、ＢＢＤの比に基づく制御信号ＲＳＤ，ＧＳＤ，ＢＳＤの調整を繰り返す。このようなフィードバック制御を行うことにより、各検出信号ＲＢＤ、ＧＢＤ、ＢＢＤの比が常に初期状態と同じに保たれる。すなわち、各レーザ光源１１Ｒ，１１Ｇ，１１Ｂの光出力比が常に一定の値に近づくように、フィードバック制御が行われ、光出力比が常に一定の値に保たれる。これにより、経時的なホワイトバランスの変化が防止され、長期間安定した映像表示が行われる。なお、制御信号の値を減少させる制御（図３のステップＳ３５，Ｓ３６）を行うと、初期状態に比べて全体としての明るさは落ちることになるが、光出力比は一定に制御されているため、色バランスは一定に保たれる。
【００４１】
本実施の形態では、複数のレーザ光源１１Ｒ，１１Ｇ，１１Ｂからの各色光を光強度検出器２１Ｒ，２１Ｇ，２１Ｂで検出し、その光出力比が初期状態での光出力比と同じになるように、フィードバック制御を行うようにしたので、ホワイトバランスを常に所望の状態に、一定に保つことができる。これにより、長期間安定して良好な映像表示を行うことができる。
【００４２】
［第３の実施の形態］
次に、本発明の第３の実施の形態について説明する。なお、以下の説明では、図１に示した構成要素と実質的に同一の機能を有する部分には同一の符号を付し、適宜説明を省略する。
【００４３】
本実施の形態に係る投射型表示装置の構成およびその基本的な映像表示動作は、上記第１の実施の形態と同様であるが、特に、マイクロプロセッサ２３による使用モードでの制御動作が異なる。上記第１の実施の形態では、図３を用いて説明したように、レーザ光源１１Ｒ，１１Ｇ，１１Ｂのそれぞれの光出力値が常に一定となるような制御を行った。また、上記第２の実施の形態では、図４を用いて説明したように、レーザ光源１１Ｒ，１１Ｇ，１１Ｂのそれぞれの光出力の比が常に一定となるような制御を行った。本実施の形態では、最初、光出力値を一定に保つ制御を行うが、その制御の結果、あらかじめ設定された許容最大値を超えて駆動されるレーザ光源１１Ｒ，１１Ｇ，１１Ｂが出そうになった場合に、光出力比を一定に保つ制御に切り換える。
【００４４】
図５および図６を参照して、本実施の形態における使用モードでの制御動作について説明する。なお、この使用モードに先立ち、図２と同じ調整モードによる処理が行われている。本実施の形態において、レーザ光源１１Ｒ，１１Ｇ，１１Ｂは、その定格により、あらかじめ、設計上許容できる駆動限界値が設定されており、また、それに対応して制御信号ＲＳＤ、ＧＳＤ、ＢＳＤについても、あらかじめ許容最大値が設定されているものとする。制御信号ＲＳＤ、ＧＳＤ、ＢＳＤの許容最大値は、マイクロプロセッサ２３の内部メモリに記憶されている。
【００４５】
マイクロプロセッサ２３は、まず、各可変電源１２Ｒ，１２Ｇ，１２Ｂに与える制御信号ＲＳＤ、ＧＳＤ、ＢＳＤとして、図２の調整モードのステップＳ１４において記憶した調整値をＤＡコンバータ２４を介して出力する（ステップＳ４１）。そして、マイクロプロセッサ２３は、検出信号ＲＢＤ，ＧＢＤ，ＢＢＤに基づく制御信号ＲＳＤ，ＧＳＤ，ＢＳＤの調整を行い、各検出信号ＲＢＤ、ＧＢＤ、ＢＢＤの値が常に初期状態の値になるよう、フィードバック制御を行う（ステップＳ４２〜Ｓ４６）。これらのステップＳ４１〜Ｓ４６の処理は、図３のステップＳ２１〜Ｓ２６の処理と同様である。これにより、レーザ光源１１Ｒ，１１Ｇ，１１Ｂのそれぞれの光出力値が初期状態と同じに制御され、輝度とホワイトバランスが一定に保たれる。
【００４６】
ところで、ステップＳ４５では、現在の検出信号ＲＢＤ，ＧＢＤ，ＢＢＤの値に応じて、制御信号ＲＳＤ，ＧＳＤ，ＢＳＤの値を増加させる制御を行うが、このとき、マイクロプロセッサ２３は、制御信号ＲＳＤ，ＧＳＤ，ＢＳＤのいずれか１つに、あらかじめ設定された許容最大値を超えるものが出てしまうか否かの判断を行う（ステップＳ４７）。値を増加させたとしても制御信号ＲＳＤ，ＧＳＤ，ＢＳＤのいずれも許容最大値を超えない場合（ステップＳ４７；Ｙ）、マイクロプロセッサ２３は、ステップＳ４６の処理に進み、光出力値を一定に保つ制御を繰り返す。
【００４７】
一方、値を増加させると制御信号ＲＳＤ，ＧＳＤ，ＢＳＤのいずれか１つに、あらかじめ設定された許容最大値を超えるものが出てしまう場合（ステップＳ４７；Ｎ）、マイクロプロセッサ２３は、光出力値を一定に保つ制御から、光出力比を一定に保つ制御（図６のステップＳ４８〜Ｓ５２）に切り換える。光出力比を一定に保つためのステップＳ４８〜Ｓ５２の処理は、図４のステップＳ３３〜Ｓ３７の処理と同様である。この処理では、制御信号ＲＳＤ，ＧＳＤ，ＢＳＤの値を減らす（ステップＳ５０，Ｓ５１）ことのみにより、光出力比を一定に保つので、制御信号ＲＳＤ，ＧＳＤ，ＢＳＤが許容最大値を超えることはない。すなわち、レーザ光源１１Ｒ，１１Ｇ，１１Ｂは、設計上許容できる範囲内で駆動される。これにより、レーザ光源１１Ｒ，１１Ｇ，１１Ｂのそれぞれの光出力の比が初期状態と同じになるように制御され、初期状態に比べて全体としての明るさは落ちることになるが、ホワイトバランスが一定に保たれる。
【００４８】
以上説明したように、本実施の形態によれば、レーザ光源１１Ｒ，１１Ｇ，１１Ｂが設計上の駆動限界値に達するまでは、検出信号ＲＢＤ，ＧＢＤ，ＢＢＤに基づいて制御信号ＲＳＤ，ＧＳＤ，ＢＳＤを増減する調整を行い、各レーザ光源１１Ｒ，１１Ｇ，１１Ｂから初期に調整した光出力値と同じ量の色光が出力されるようにしたので、レーザ光源１１Ｒ，１１Ｇ，１１Ｂが設計上の駆動限界値に達するまでは、ホワイトバランスを常に所望の状態に、一定に保つことができ、かつ、輝度も一定に保つことができる。その後、レーザ光源１１Ｒ，１１Ｇ，１１Ｂが設計上の駆動限界値に達するおそれがある場合には、制御信号ＲＳＤ，ＧＳＤ，ＢＳＤを増加させることなく減少させることのみにより、その光出力比が初期状態と同じになるような制御を行うようにしたので、全体の明るさは落ちることになるが、ホワイトバランスは常に所望の状態に、一定に保つことができる。これにより、長期間安定して良好な映像表示を行うことができる。
【００４９】
なお、以上の説明では、光出力値を一定に保つ制御を行うか、光出力比を一定に保つ制御を行うかの切り換えを自動的に行う場合について説明したが、この切り換えを手動で行うようにしたも良い。
【００５０】
［第４の実施の形態］
次に、本発明の第４の実施の形態について説明する。なお、以下の説明では、図１に示した構成要素と実質的に同一の機能を有する部分には同一の符号を付し、適宜説明を省略する。
【００５１】
図１の装置構成では、レーザ光源１１Ｒ，１１Ｇ，１１Ｂと変調器１４Ｒ，１４Ｇ，１４Ｂとの間の光路中に部分反射ミラー１３Ｒ，１３Ｇ，１３Ｂを設けて、レーザ光源１１Ｒ，１１Ｇ，１１Ｂからの出力光の一部を空間的に分離して取り出し、光強度検出器２１Ｒ，２１Ｇ，２１Ｂに出力するようにした。本実施の形態では、部分反射ミラー１３Ｒ，１３Ｇ，１３Ｂとは異なる光分離手段により、レーザ光源１１Ｒ，１１Ｇ，１１Ｂの出力光を取り出し、光強度の検出を行うようにしたものである。
【００５２】
図７に示したように、本実施の形態に係る投射型表示装置は、部分反射ミラー１３Ｒ，１３Ｇ，１３Ｂの代わりに、光分離手段として、カラーホイール３１とこのカラーホイール３１を駆動するための駆動モータ３２とを備えている。カラーホイール３１は、変調器１４Ｒ，１４Ｇ，１４Ｂを通過後の各色光の共通の光路、すなわち、ダイクロイックミラー１８とスキャナ１９との間の光路中に設けられている。本投射型表示装置は、また、各変調器１４Ｒ，１４Ｇ，１４Ｂを駆動するための変調信号を出力する各色用の信号源４１Ｒ，４１Ｇ，４１Ｂと、信号源４１Ｒ，４１Ｇ，４１Ｂから出力された各色の変調信号と後述する基準パルス信号４３Ｒ，４３Ｇ，４３Ｂ（図９（Ａ）〜（Ｃ））とを合成する信号合成器４２Ｒ，４２Ｇ，４２Ｂとを備えている。
【００５３】
カラーホイール３１は、図８に示したように、全体が円盤状に形成され、１２０°ごとに、Ｒ，Ｇ，Ｂの各色光を反射するための反射面３１Ｒ，３１Ｇ，３１Ｂが設けられている。反射面３１Ｒ，３１Ｇ，３１Ｂ以外の部分は、各色光が透過可能な透過部３１Ｔとなっている。駆動モータ３２は、マイクロプロセッサ２３からの制御信号に基づいて、カラーホイール３１を回転制御するようになっている。
【００５４】
次に、本投射型表示装置における光出力値の検出動作について説明する。マイクロプロセッサ２３は、図９（Ａ）〜（Ｃ）に示したような各色についての基準パルス信号４３Ｒ，４３Ｇ，４３Ｂを出力する。これらの基準パルス信号４３Ｒ，４３Ｇ，４３Ｂは、光強度検出器２１Ｒ，２１Ｇ，２１Ｂで光強度を検出するために利用される。各基準パルス信号４３Ｒ，４３Ｇ，４３Ｂは、信号合成器４２Ｒ，４２Ｇ，４２Ｂの機能によって、信号源４１Ｒ，４１Ｇ，４１Ｂから出力された各色の変調信号と合成される。図９（Ｄ）〜（Ｆ）は、信号合成器４２Ｒ，４２Ｇ，４２Ｂから出力される各色の合成変調信号４４Ｒ，４４Ｇ，４４Ｂを示している。これらの図に示したように。マイクロプロセッサ２３は、例えば、映像の３フィールド（またはフレーム）に１色の割合で基準パルス信号４３Ｒ，４３Ｇ，４３Ｂを発生する。これらの基準パルス信号４３Ｒ，４３Ｇ，４３Ｂは、通常の映像表示区間Ｔｆに影響を与えることのないよう、映像のフィールド（またはフレーム）ブランキング区間Ｔblkに挿入される。合成変調信号４４Ｒ，４４Ｇ，４４Ｂは、それぞれ、変調器１４Ｒ，１４Ｇ，１４Ｂに出力される。各変調器１４Ｒ，１４Ｇ，１４Ｂは、各色の合成変調信号４４Ｒ，４４Ｇ，４４Ｂに基づいて、レーザ光源１１Ｒ，１１Ｇ，１１Ｂからの各色光を強度変調する。
【００５５】
マイクロプロセッサ２３は、また、各基準パルス信号４３Ｒ，４３Ｇ，４３Ｂに同期して駆動モータ３２を駆動制御し、各基準パルス信号４３Ｒ，４３Ｇ，４３Ｂとカラーホイール３１の各反射面３１Ｒ，３１Ｇ，３１Ｂの位置とが所定の位相関係となるように制御する。すなわち、マイクロプロセッサ２３は、各変調器１４Ｒ，１４Ｇ，１４Ｂに各基準パルス信号４３Ｒ，４３Ｇ，４３Ｂが加わっているときに、それに対応してカラーホイール３１の各反射面３１Ｒ，３１Ｇ，３１Ｂが光軸上に位置することとなるよう制御する。これにより、例えば、Ｒ用変調器１４ＲからＲ基準パルス信号４３Ｒに基づく検出用の赤色光が出射されているときに、カラーホイール３１のＲ反射面３１Ｒが光軸上に位置することになり、検出用の赤色光が光強度検出器２１に向けて反射される。他の色についても同様である。
【００５６】
このようにして、映像信号のフィールドブランキング区間Ｔblkにおいて、基準パルス信号４３Ｒ，４３Ｇ，４３Ｂに基づいて出射された検出用の各色光が、カラーホイール３１の各反射面３１Ｒ，３１Ｇ，３１Ｂで光強度検出器２１に向けて反射される。一方、通常の映像表示区間Ｔｆでは、信号源４１Ｒ，４１Ｇ，４１Ｂからの変調信号に基づいて出射された各色の変調光がカラーホイール３１の透過部３１Ｔを通過する。
【００５７】
光強度検出器２１は、１フィールド（または１フレーム）ごとに、いずれか１つの色光を検出する。光強度検出器２１での検出信号ＲＢＤ，ＧＢＤ，ＢＢＤは、ＡＤコンバータ２２を介して、デジタル信号化されてマイクロプロセッサ２３に出力される。図９（Ｆ）に、この光強度検出器２１から出力される検出信号ＲＢＤ，ＧＢＤ，ＢＢＤを示す。図１の装置構成では、各色光が時間的に分離されていないので、別々の光強度検出器２１Ｒ，２１Ｇ，２１Ｂによって色光を検出したが、本実施の形態では、検出用の各色光が時間的に分離されているので、１つの光強度検出器２１のみで検出を行うことができる。また、本実施の形態において、検出用に用いる光は、通常の映像表示には用いられない光であるから、光量のロスもない。このため、本実施の形態では、通常の映像表示に全く影響を与えることなく、各色光の強度を検出できる。
【００５８】
マイクロプロセッサ２３は、以上のようにして出力された検出信号ＲＢＤ，ＧＢＤ，ＢＢＤに基づいて、各可変電源１２Ｒ，１２Ｇ，１２Ｂの駆動制御を行い、レーザ光源１１Ｒ，１１Ｇ，１１Ｂのそれぞれの光出力値を調整する。このマイクロプロセッサ２３による光出力の制御動作は、上記第１〜第３の実施の形態の制御動作（図２〜図６）と同様に行うことができる。
【００５９】
図１０は、検出信号ＲＢＤ，ＧＢＤ，ＢＢＤを得るためのマイクロプロセッサ２３の動作手順を示している。図１０に示した処理は、図２のステップＳ１５、図３のステップＳ２２、図４のステップＳ３２および図５のステップＳ４２での処理に相当する。マイクロプロセッサ２３は、駆動モータ３２を駆動制御して、カラーホイール３１のＲ反射面３１Ｒが光軸上に位置するように制御すると共に、Ｒ基準パルス信号４３Ｒを出力する（ステップＳ６１）。光強度検出器２１は、Ｒ基準パルス信号４３Ｒに基づいてＲ用変調器１４Ｒから出射され、カラーホイール３１のＲ反射面３１Ｒで反射された赤色光を検出する。マイクロプロセッサ２３は、光強度検出器２１で検出され、ＡＤコンバータ２２でＡＤ変換された信号をＲ検出信号ＲＢＤとして取得する（ステップＳ６２）。以下、同様にしてＧ検出信号ＧＢＤおよびＢ検出信号ＢＢＤを得る（ステップＳ６３，ステップＳ６４）。
【００６０】
以上説明したように、本実施の形態によれば、カラーホイール３１を利用して、光強度検出用の色光を、映像表示に用いられる色光とは時間的に分離して取得するようにしたので、光検出に伴う光量のロスがなく、通常の映像表示に全く影響を与えることなく、各色光の強度を検出し、光出力の制御に利用できる。また、カラーホイール３１を変調器１４Ｒ，１４Ｇ，１４Ｂの後段に配置することにより、変調器１４Ｒ，１４Ｇ，１４Ｂを通過した光を検出することになるので、レーザ光源１１Ｒ，１１Ｇ，１１Ｂ自体の光出力の変化に加えて、変調器１４Ｒ，１４Ｇ，１４Ｂでの光出力の利得をも考慮した光出力の制御が可能となる。例えば変調器１４Ｒ，１４Ｇ，１４Ｂのいずれか１つの光出力の利得が５％少なかった場合、それに対応するレーザ光源１１Ｒ，１１Ｇ，１１Ｂの出力を自動的に５％増加するように補正する制御などが可能となる。
【００６１】
なお、以上の説明では、カラーホイール３１を１つのみ設ける場合について説明したが、カラーホイール３１を各色光の光路ごとに設けても良い。例えば、変調器１４Ｒ，１４Ｇ，１４Ｂとミラー１５，１６，１７との間の各光路中に、カラーホイールを合計３つ設けるようにしても良い。
【００６２】
［第５の実施の形態］
次に、本発明の第５の実施の形態について説明する。なお、以下の説明では、図１および図７に示した構成要素と実質的に同一の機能を有する部分には同一の符号を付し、適宜説明を省略する。
【００６３】
図１および図７では、レーザ光をスキャナ１９によって２次元的に走査して映像を表示する投射型表示装置について示したが、本実施の形態に係る投射型表示装置は、スキャナ１９を用いることなく、２次元の変調器を用いて映像を表示するようにしたものである。
【００６４】
図１１に示した本実施の形態に係る投射型表示装置は、図１の装置構成において、部分反射ミラー１３Ｒ，１３Ｇ，１３Ｂ以降の光学系の構成を変更したものである。この投射型表示装置は、各色光を２次元的に拡大する機能を有する各色用のビームエクスパンダ５１Ｒ，５１Ｇ，５１Ｂと、各色光を２次元的に変調する機能を有する各色用の２次元の変調器５２Ｒ，５２Ｇ，５２Ｂとを備えている。この投射型表示装置は、また、各色の変調光を合成する機能を有する合成プリズム５３と、合成された変調光をスクリーン２０に向けて投射する投射レンズ５４とを備えている。２次元の変調器５２Ｒ，５２Ｇ，５２Ｂとしては、例えばＬＣＤまたはＤＭＤなど、任意のものを使用できる。
【００６５】
この投射型表示装置では、部分反射ミラー１３Ｒ，１３Ｇ，１３Ｂを通過したレーザ光源１１Ｒ，１１Ｇ，１１Ｂからの各色光が、ビームエクスパンダ５１Ｒ，５１Ｇ，５１Ｂの機能によって２次元的に拡大され、各色用の変調器５２Ｒ，５２Ｇ，５２Ｂに出射される。各変調器５２Ｒ，５２Ｇ，５２Ｂは、ビームエクスパンダ５１Ｒ，５１Ｇ，５１Ｂによって拡大された各色光を２次元的に変調して出射する。各色の変調光は、合成プリズム５３によって合成された後、投射レンズ５４によって、スクリーン２０に向けて投射される。これにより、スクリーン２０上に映像が表示される。
【００６６】
なお、図１１に示した投射型表示装置における光出力の制御動作は、上記第１〜第３の実施の形態の制御動作（図２〜図６）と同様である。
【００６７】
なお、本発明は、上記各実施の形態に限定されず種々の変形実施が可能である。例えば、本発明は、レーザ光源に限らず、複数の他の光源、例えば放電ランプ、発光ダイオード、エレクトロルミネセンスなどを光源として用いる場合にも適用可能である。また、上記各実施の形態では、Ｒ，Ｇ，Ｂの３つの光源を用いる場合について説明したが、本発明は、光源がＲ，Ｇ，Ｂの３つの組み合わせである場合に限定されない。例えば、白色光源と単色（例えばＲ用）の光源とを組み合わせた場合にも適用可能である。また、Ｒ，Ｇ，Ｂ以外の単色光源を用いた場合にも適用可能である。
【００６８】
また図示しないが、例えばＧＬＶ（Grating Light Valve）を利用した投射型表示装置のように、１次元のレーザ光源を変調し、その変調光を１次元のスキャナによって走査してスクリーン上に２次元の映像を表示するようにした表示装置にも、本発明は適用可能である。
【００６９】
【発明の効果】
以上説明したように、本発明の光源制御装置もしくは光源制御方法、または投射型表示装置によれば、複数の光源のそれぞれの光出力値を検出し、この検出結果に基づいて、複数の光源のそれぞれの光出力値または各光出力値の相対的な値が常に一定の値に近づくように、複数の光源のそれぞれの光出力の制御を行うようにしたので、複数の光源からの光出力のバランスを常に所望の状態に保つことができる。特に、光出力値を一定に保つ制御を行った場合には、光出力のバランスのみならず、光量についても常に一定の状態に保つことができる。
【００７０】
特に、光出力値を一定にする制御を行った結果、あらかじめ設定された許容最大値を超えて駆動されるおそれのある光源があった場合に、光出力値を一定にする制御から各光出力値の相対的な値を一定にする制御へと自動的に切り換えるようにしたので、光源が許容最大値を超えないで駆動されている間は、光出力のバランスと光量とを常に所望の状態に保つことができる。その後、許容最大値を超えて駆動されるおそれのある光源が出てしまった場合にも、少なくとも光出力のバランスについては常に所望の状態に保つことができる。
【図面の簡単な説明】
【図１】本発明の第１の実施の形態に係る投射型表示装置の構成を示すブロック図である。
【図２】本発明の第１の実施の形態に係る投射型表示装置で行われる調整モードでの制御動作を示す流れ図である。
【図３】本発明の第１の実施の形態に係る投射型表示装置で行われる使用モードでの制御動作を示す流れ図である。
【図４】本発明の第２の実施の形態に係る投射型表示装置で行われる使用モードでの制御動作を示す流れ図である。
【図５】本発明の第３の実施の形態に係る投射型表示装置で行われる使用モードでの制御動作を示す流れ図である。
【図６】図５に続く流れ図である。
【図７】本発明の第４の実施の形態に係る投射型表示装置の構成を示すブロック図である。
【図８】本発明の第４の実施の形態に係る投射型表示装置において使用されるカラーホイールの構造を示す正面図である。
【図９】本発明の第４の実施の形態に係る投射型表示装置において使用される各種信号について説明するための波形図である。
【図１０】本発明の第４の実施の形態に係る投射型表示装置における動作を説明するための流れ図である。
【図１１】本発明の第５の実施の形態に係る投射型表示装置の構成を示すブロック図である。
【図１２】従来のプロジェクタの構成例を示すブロック図である。
【符号の説明】
１１Ｒ，１１Ｇ，１１Ｂ…レーザ光源、１２Ｒ，１２Ｇ，１２Ｂ…可変電源、、１４Ｒ，１４Ｇ，１４Ｂ…変調器、１９…スキャナ、２１Ｒ，２１Ｇ，２１Ｂ…光強度検出器、２３…マイクロプロセッサ、３１…カラーホイール、３２…駆動モータ、５４…投射レンズ。
【図１】
0004792665.tif 000002
【図２】
0004792665.tif 000003
【図３】
0004792665.tif 000004
【図４】
0004792665.tif 000005
【図５】
0004792665.tif 000006
【図６】
0004792665.tif 000007
【図７】
0004792665.tif 000008
【図８】
0004792665.tif 000009
【図９】
0004792665.tif 000010
【図１０】
0004792665.tif 000011
【図１１】
0004792665.tif 000012
【図１２】
0004792665.tif 000013